(57)【要約】【課題】  装置がオートパワーオフに至ることを事前にユーザが把握することが可能であり、予め設定されたオートパワーオフ移行予定時刻の再設定を行うことが可能な画像処理装置を提供する。【解決手段】  所定時間特定の処理を行わなかった場合に、自装置の活動を制限するオートパワーオフ機能を備えた画像処理装置であって、予め入力されたオートパワーオフに至るまでの所定時間からオートパワーオフ移行予定時刻を設定する設定部と、外部端末からの装置状況の問い合わせに関する情報を記録するアクセス記録部と、装置状況の問い合わせに関する情報に基き、自装置を使用しているユーザが存在するか否かを判断するユーザ存在判断部と、オートパワーオフに至る一定時間前に当該オートパワーオフの事前予告を存在するユーザに対して通知する通知部とを備え、設定部は、ユーザによる設定変更要求に基きオートパワーオフ移行予定時刻を再設定する。【選択図】  図１
2015141554.tif 000002
【特許請求の範囲】
【請求項１】
所定時間特定の処理を行わなかった場合に、自装置の活動を制限するオートパワーオフ機能を備えた画像処理装置であって、
予め入力されたオートパワーオフに至るまでの所定時間からオートパワーオフ移行予定時刻を設定する設定部と、
外部端末からの装置状況の問い合わせに関する情報を記録するアクセス記録部と、
前記装置状況の問い合わせに関する情報に基き、自装置を使用しているユーザが存在するか否かを判断するユーザ存在判断部と、
オートパワーオフに至る一定時間前に当該オートパワーオフの事前予告を存在するユーザに対して通知する通知部とを備え、
前記設定部は、前記事前予告を受けたユーザによる設定変更要求に基きオートパワーオフ移行予定時刻を再設定すること
を特徴とする画像処理装置。
【請求項２】
ユーザによる設定変更要求を受付ける操作部を備え、
前記設定部は、ユーザによる前記操作部を介した受付けた設定変更要求に基づきオートパワーオフ移行予定時刻を再設定すること
を特徴とする請求項１に記載の画像処理装置。
【請求項３】
前記外部端末は、ユーザによる設定変更要求を受付けるユーティリティを備え、
前記設定部は、ユーザによる前記ユーティリティを介して受付けた設定変更要求に基づきオートパワーオフ移行予定時刻を再設定すること
を特徴とする請求項１に記載の画像処理装置。
【請求項４】
前記通知部は、オートパワーオフの事前予告の際に、ブザーを一定時間鳴動させること
を特徴とする請求項１乃至請求項３の何れか１項に記載の画像処理装置。
【発明の詳細な説明】
【技術分野】
【０００１】
本発明は、所定時間特定の処理を行わなかった場合に、自装置の活動を制限するオートパワーオフ機能を備えた画像処理装置に関するものである。
【背景技術】
【０００２】
昨今、所定時間特定の処理を行わなかった場合に、自装置の電源の少なくとも一部をオフにして活動を制限する、所謂、オートパワーオフ機能を搭載した画像処理装置が普及し始めている。このようなオートパワーオフ機能があれば、ユーザが装置の電源をオフとすることを忘れた場合でも、予め設定されたオートパワーオフ移行予定時刻に至ると、装置自体が自動で電源オフとなるため、省エネルギーの観点から有能な機能といえる（例えば、特許文献１参照）。
【先行技術文献】
【特許文献】
【０００３】
【特許文献１】特開２０１３−１３４５４５号公報
【発明の概要】
【発明が解決しようとする課題】
【０００４】
しかしながら、従来技術における画像処理装置では、オートパワーオフ移行予定時刻の経過直前に、当該装置を使用したいユーザが存在した場合、このユーザは装置がオートパワーオフ機能により電源オフとなることを把握することができない。したがって、このユーザが装置を稼動させて画像処理を行わせようとしても、装置自体は活動が制限された状態となっており、ユーザが再度装置の電源を投入し直す必要があった。
【０００５】
本発明はこのような実状に鑑みてなされたものであり、本発明の課題は、装置がオートパワーオフに至ることを事前にユーザが把握することが可能であり、予め設定されたオートパワーオフ移行予定時刻の再設定を行うことが可能な画像処理装置を提供することである。
【課題を解決するための手段】
【０００６】
上記課題を解決するために、本発明に係る画像処理装置は、所定時間特定の処理を行わなかった場合に、自装置の活動を制限するオートパワーオフ機能を備えた画像処理装置であって、予め入力されたオートパワーオフに至るまでの所定時間からオートパワーオフ移行予定時刻を設定する設定部と、外部端末からの装置状況の問い合わせに関する情報を記録するアクセス記録部と、前記装置状況の問い合わせに関する情報に基き、自装置を使用しているユーザが存在するか否かを判断するユーザ存在判断部と、オートパワーオフに至る一定時間前に当該オートパワーオフの事前予告を存在するユーザに対して通知する通知部とを備え、前記設定部は、前記事前予告を受けたユーザによる設定変更要求に基きオートパワーオフ移行予定時刻を再設定することを特徴としている。
【発明の効果】
【０００７】
本発明によれば、装置がオートパワーオフに至ることを事前にユーザが把握することができ、予め設定されたオートパワーオフ移行予定時刻の再設定を行うことが可能な画像処理装置を提供することができる。
【図面の簡単な説明】
【０００８】
【図１】第１の実施形態の構成を説明するシステム構成図である。
【図２】第１の実施形態における画像処理装置の内部構成を説明する機能ブロック図である。
【図３】第１の実施形態における画像処理装置が備える操作パネルの構成例を示す概略図である。
【図４】操作パネルが備えるＬＣＤ部が表示する表示画面の一例を説明する図である。
【図５】第１の実施形態の動作を説明するフローチャートである。
【図６】第２の実施形態における画像処理装置の内部構成を説明する機能ブロック図である。
【図７】第２の実施形態の動作を説明するフローチャートである。
【図８】第２の実施形態に係る画像処理装置がオートパワーオフ予告通知状態である旨を表すメッセージの一例である。
【図９】設定変更ユーティリティが提供するＧＵＩ画面の構成例の一例である。
【発明を実施するための形態】
【０００９】
以下、本発明の実施形態について図面を参照して説明する。なお、本発明は以下の記述に限定されるものではなく、本発明の要旨を逸脱しない範囲において適宜変更可能である。
【００１０】
[第１の実施形態]
図１は、第１の実施形態の構成を説明するシステム構成図である。本実施形態の説明においては、オートパワーオフ機能を備えた本発明に係る画像処理装置１００がＬＡＮ（Local Area Network）等のネットワークを介して複数のホストコンピュータ（ＰＣ１１０，ＰＣ１１１，ＰＣ１１２，ＰＣ１１３）に接続されて構成されたシステムについて説明する。
【００１１】
画像処理装置１００としては、例えば、電子写真方式やインクジェット方式等の印刷エンジンを備え、ネットワークを介してＰＣ１１０，ＰＣ１１１，ＰＣ１１２，ＰＣ１１３から受信した印刷データを印刷出力するプリンタ又は、ＭＦＰ、複写機、スキャナ、並びにＦＡＸといった装置を用いることができる。本発明に係る画像処理装置１００は、所定時間処理を行わなかった場合、すなわち、所定時間使用されなかった場合に、自装置の電源をオフにして活動を停止するオートパワー機能を備える。例えば、一般的なＡ３サイズカラープリンタを一例とし、これを消費電力の観点から分類すると、動作（印刷）時：平均７００Ｗ、待機時：平均１００Ｗ、パワーセーブモード時：１２Ｗ未満、スリープモード時：０．７Ｗ未満、オートパワーオフ時：０．１Ｗ未満であり、消費電力の観点からしてもオートパワーオフ機能は有能な機能である。このようなオートパワーオフ機能を備えた本発明に係る画像処理装置１００の構成については後述する。
【００１２】
ホストコンピュータたるＰＣ１１０，ＰＣ１１１，ＰＣ１１２，ＰＣ１１３は、ＯＳ（Operating System）上で駆動する図示せぬ文書、図表作成アプリケーションプログラムを有し、さらに、当該アプリケーションプログラムにおいて生成されたドキュメントデータから印刷データを生成し、印刷ジョブとして画像処理装置１００に送信するプリンタドライバを備えた装置である。そして、ＰＣ１１０，ＰＣ１１１，ＰＣ１１２，ＰＣ１１３は、例えば、ＰＣ１１２を例にすると、ＯＳ上で駆動するステータス監視ユーティリティ１１４と、設定変更ユーティリティ１１６とを備える。
【００１３】
ステータス監視ユーティリティ１１４は、ＯＳ上において、ブラウザを使用せずに画像処理装置１００の検索やステータス監視の機能を提供する。ステータス監視ユーティリティ１１４は、定期的（例えば、１分間隔等）にポーリング（状況問い合わせ）を行い、画像処理装置１００の装置状態を取得し、ステータスタグ１１５ａ、メッセージタグ１１５ｂ、ステータス・メッセージ表示フィールド１１５ｃを備えた表示ボックス１１５を介してユーザに通知する。
【００１４】
設定変更ユーティリティ１１６は、ＯＳ上において、ブラウザを使用して画像処理装置１００の装置状態の表示、給紙トレイの変更、ネットワーク設定の変更、又は印刷ジョブのキャンセル等を受付ける機能を提供する。
【００１５】
次に、画像処理装置１００の構成について説明する。図２は、画像処理装置１００の内部構成を説明する機能ブロック図である。また、図３は、画像処理装置１００が備える操作パネル２５の構成例を示す概略図である。図２に示すように、画像処理装置１００は、ネットワーク情報管理部２１と、アクセス記録部としてのアクセスログ２１１と、設定部及びユーザ存在判断部としてのオートパワーオフ管理部２２と、ステータス管理部２３と、パネル制御部２４と、通知部としての操作パネル２５とを備える。
【００１６】
ネットワーク情報管理部２１は、ＰＣ１１０，ＰＣ１１１，ＰＣ１１２，ＰＣ１１３とのネットワークを介した通信を管理する。ネットワーク情報管理部２１は、前述したステータス監視ユーティリティ１１４又は設定変更ユーティリティ１１６からの装置状態の問い合わせに対する応答や、設定変更ユーティリティ１１６からの設定変更要求を受付ける。なお、ステータス監視ユーティリティ１１４又は設定変更ユーティリティ１１６からの装置状態の問い合わせと応答については、アクセスログ２１１に記録される。
【００１７】
アクセスログ２１１は、前述したように、画像処理装置１００とＰＣ１１０，ＰＣ１１１，ＰＣ１１２，ＰＣ１１３との間での通信記録を保持する。ネットワーク上には、ＰＣ１１０，ＰＣ１１１，ＰＣ１１２，ＰＣ１１３といった複数のホストコンピュータが存在しているため、アクセスログ２１１は、これらのホストコンピュータを識別する情報及び通信時刻、通信の種類（装置状態問い合わせ／設定変更等）を記録する。
【００１８】
オートパワーオフ管理部２２は、予め設定されたオートパワーオフ移行予定時刻に至る、すなわち、装置が所定時間処理を行わなかった（印刷を行わなかった）場合に、自装置の電源をオフにするオートパワーオフ処理を行う。また、オートパワーオフ管理部２２は、図示せぬタイマーを備え、オートパワーオフ移行予定時刻の一定時間前（本実施形態においては５分前）にアクセスログ２１１を参照し、装置を使用しているユーザが存在していると判断された場合に、オートパワーオフ予告の通知を行う。具体的には、オートパワーオフ管理部２２は、ステータス管理部２３に対してオートパワーオフ予告通知を依頼する。
【００１９】
ステータス管理部２３は、画像処理装置１００の装置状態を管理する。ステータス管理部２３は、画像処理装置１００で発生したエラー等を認識して、後述する操作パネル２５が備えるＬＣＤ（Liquid Crystal Display）部２６にメッセージを表示するようパネル制御部２４に指示を与える。
【００２０】
パネル制御部２４は、操作パネル２５が備える操作ボタン２７等を介してユーザからの入力を受付けたり、操作パネル２５が備えるＬＣＤ部２６にメッセージを表示させる。また、パネル制御部２４は、操作パネル２５が備えるブザー２９を鳴動させる。
【００２１】
操作パネル２５は、図３に示すように、メッセージやユーザによる入力内容を表示するＬＣＤ部２６と、ユーザによる入力を受付ける操作ボタン２７と、ＬＥＤ（Light Emitting Diode）等からなる警告ランプ２８と、オートパワーオフ予告通知の際に鳴動するブザー２９とを備える。なお、図３に示すＬＣＤ部２６の表示例は、オートパワーオフ予告通知に関するメッセージ例の一例である。
【００２２】
図４は、操作パネル２５が備えるＬＣＤ部２６が表示する表示画面の一例を説明する図である。図４（ａ）は、オートパワーオフ機能の有効化（有効化／自動設定／無効化）に関する設定画面及びオートパワーオフ機能が有効化である場合に、オートパワーオフに至るまでの所定時間（オートパワーオフ移行時間）の選択を受付ける選択画面の例である。図４（ｂ）は、装置状況の表示例であり、図４（ｃ）は装置で発生しているエラーに関する情報の表示例である。ユーザは、図４（ａ）、図４（ｂ）、図４（ｃ）に例示するようなＬＣＤ部２６が表示する情報を元に対話形式で画像処理装置１００の装置設定を行うことができる。
【００２３】
次に、本実施形態に係る動作について図５のフローチャートを用いて説明する。なお、ここでの説明では、画像処理装置１００においてユーザにより、図２又は図３に示す操作パネル２５を介してオートパワーオフに至るまでの所定時間が、例えば４時間に設定され、オートパワーオフ移行予定時刻の５分前にオートパワーオフ予告の通知を行うものとする。さらに、ネットワークに接続されたＰＣ１１０，ＰＣ１１１，ＰＣ１１２，ＰＣ１１３の何れかのホストコンピュータが稼動中（画像処理装置１００の使用者が存在する）であり、当該ホストコンピュータから定期的に１分間隔で画像処理装置１００に対してステータス監視ユーティリティ１１６による状況問い合わせが行われているものとする。
【００２４】
図５のステップＳ５０１において、ユーザにより画像処理装置１００の電源が投入されると、ネットワーク情報管理部２１は、ホストコンピュータとの通信記録をネットワークアクセスログとしてアクセスログ２１１へ保持させることによりネットワーク情報の監視を開始する（ステップＳ５０２）。
【００２５】
そして、オートパワーオフ管理部２２は、ユーザにより操作パネル２５を介してオートパワーオフ機能の設定がなされているか否かを確認する。ここでは、オートパワーオフ機能の設定がなされているので（ステップＳ５０３  Ｙ）、オートパワーオフ管理部２２は、現時刻がオートパワーオフ移行予定時刻の５分前であるか否か確認する。すなわち、オートパワーオフ管理部２２は、現時刻が最後に印刷処理を終えてから３時間５５分経過しているか否かを確認する。
【００２６】
ここで、現時刻がオートパワーオフ移行予定時刻の５分前である場合（ステップＳ５０４  Ｙ）、オートパワーオフ管理部２２は、アクセスログ２１１に保持されているネットワークアクセスログを確認する（ステップＳ５０５）。具体的には、オートパワーオフ管理部２２は、アクセスログ２１１内のデータを参照し、ホストコンピュータが画像処理装置１００に対して定期的（１分間隔）に状況問い合わせを行っているか否かを確認する。一方、現時刻がオートパワーオフ移行予定時刻の５分前でない場合（ステップＳ５０４  Ｎ）、オートパワーオフ管理部２２は、現時刻がオートパワーオフ移行予定時刻の５分前となるまで待機する。
【００２７】
そして、オートパワーオフ管理部２２は、画像処理装置を使用しているユーザが存在しているか否かを判断する。ここでは、前述したように、ＰＣ１１０，ＰＣ１１１，ＰＣ１１２，ＰＣ１１３の何れかのホストコンピュータにより定期的に１分間隔で画像処理装置１００に対して状況問い合わせが行われているため、オートパワーオフ管理部２２は、画像処理装置１００を使用しているユーザが存在していると判断し、処理をステップＳ５０７に移行する（ステップＳ５０６  Ｙ）。一方、画像処理装置１００を使用しているユーザが存在しないと判断した場合（ステップＳ５０６  Ｎ）、オートパワーオフ管理部２２は、オートパワーオフ移行予定時刻に至るのを待って、オートパワーオフ処理を実行し一連の処理を終了する（ステップＳ５１０）。
【００２８】
ステップＳ５０７において、オートパワーオフ管理部２２は、ステータス管理部２３に対してオートパワーオフ予告通知を依頼する。依頼を受けたステータス管理部２３は、パネル制御部２４に対し、図３に示すメッセージ例のようなオートパワーオフ予告通知を操作パネル２５のＬＣＤ部２６に表示させるとともに、ブザー２９を数秒間鳴動させるよう指示を与える。指示を受けたパネル制御部２４は、オートパワーオフ予告通知を操作パネル２５のＬＣＤ部２６に表示させるとともに、ブザー２９を数秒間鳴動させる。
【００２９】
ブザー２９の鳴動を聞いたユーザが画像処理装置１００に移動し、操作パネル２５のＬＣＤ部２６に表示されたメッセージを見て、オートパワーオフ移行予定時刻を延期させるために、操作パネル２５の操作ボタン２７の１つであるＯｎｌｉｎｅボタンが押下されると、パネル制御部２４は、Ｏｎｌｉｎｅボタンが押下された旨をステータス管理部２３に通知する。通知を受けたステータス管理部２３は、オートパワーオフ延期の指定ありと判断し（ステップＳ５０８  Ｙ）、オートパワーオフ管理部２２に図示せぬタイマーをリセットするよう指示を与える。指示を受けたオートパワーオフ管理部２２は、図示せぬタイマーをリセットすることでオートパワーオフ移行予定時刻の再設定（４時間後）を行い（ステップＳ５０９）、処理をステップＳ５０４に戻す。一方、ユーザによりＯｎｌｉｎｅボタンが押下されず、オートパワーオフ延期の指定なしと判断した場合（ステップＳ５０８  Ｎ）、ステータス管理部２３はその旨をオートパワーオフ管理部２２に通知する。通知を受けたオートパワーオフ管理部２２は、オートパワーオフ移行予定時刻に至るのを待って、オートパワーオフ処理を実行し一連の処理を終了する（ステップＳ５１０）。
【００３０】
以上のように、第１の実施形態に係る画像処理装置では、ホストコンピュータからの状況問い合わせを確認することで、画像処理装置を使用しているユーザがいるか否かを判断し、使用しているユーザに対してオートパワーオフ予告通知を行うことができる。予告通知を受けたユーザは、装置がオートパワーオフ機能により電源オフとなることを事前に把握することができ、かつ、まだ画像処理装置を使用する予定であれば、オートパワーオフ延期の指定を行うことで、オートパワーオフ管理部が備える図示せぬタイマーをリセットさせることができる。よって、第１の実施形態によれば、画像処理装置を使用しているユーザが存在するにもかかわらず、装置がオートパワーオフ機能で電源オフとされることを防止することができ、ユーザが電源オフとなった画像処理装置の電源を再投入する必要も無くすことができる。
【００３１】
[第２の実施形態]
図６は、第２の実施形態に係る画像処理装置１００'の内部構成を説明する機能ブロック図である。画像処理装置１００'は、第１の実施形態に係る画像処理装置１００の構成に加え、ホスト送信コマンド処理部２１２を備える。なお、本実施形態の説明においては、第１の実施形態と同一な構成、動作については同一な符号を付してその説明は省略する。
【００３２】
ホスト送信コマンド処理部２１２は、ＰＣ１１０，ＰＣ１１１，ＰＣ１１２，ＰＣ１１３といった複数のホストコンピュータからの設定変更ユーティリティ１１６を介した設定変更コマンドを受付けて処理する。ホスト送信コマンド処理部２１２は、設定変更ユーティリティ１１６が提供するＧＵＩ（Graphical User Interface）画面において、コマンド送信の処理がなされた場合に、例えば、オートパワーオフ管理部２２が備える図示せぬタイマーをリセットさせるといった処理を行う。
【００３３】
次に、本実施形態に係る動作について図７のフローチャートを用いて説明する。なお、ここでの説明では、第１の実施形態と同様に、画像処理装置１００'においてユーザにより、図２又は図３に示す操作パネル２５を介してオートパワーオフに至るまでの所定時間が、例えば４時間に設定され、オートパワーオフ移行予定時刻の５分前にオートパワーオフ予告の通知を行うものとする。さらに、ネットワークに接続されたＰＣ１１０，ＰＣ１１１，ＰＣ１１２，ＰＣ１１３の何れかのホストコンピュータが稼動中（画像処理装置１００'の使用者が存在する）であり、当該ホストコンピュータから定期的に１分間隔で画像処理装置１００'に対してステータス監視ユーティリティ１１６による状況問い合わせが行われているものとする。
【００３４】
図７のステップＳ５０１〜ステップＳ５０７の一部、ステップＳ５０９及びステップＳ５１０については、第１の実施形態の図５で説明した処理と同一とすることができるため、該当する処理には、同一の符号を付してその説明は省略する。
【００３５】
ステップＳ５０７において、オートパワーオフ管理部２２は、ステータス管理部２３に対してオートパワーオフ予告通知を依頼する。依頼を受けたステータス管理部２３は、パネル制御部２４に対し、図３に示すメッセージ例のようなオートパワーオフ予告通知を操作パネル２５のＬＣＤ部２６に表示させるとともに、ブザー２９を数秒間鳴動させるよう指示を与える。指示を受けたパネル制御部２４は、オートパワーオフ予告通知を操作パネル２５のＬＣＤ部２６に表示させるとともに、ブザー２９を数秒間鳴動させる。さらに、ステータス管理部２３は、ホストコンピュータからの次の状況問い合わせに対して、画像処理装置１００'がオートパワーオフ予告通知状態であることを応答する。
【００３６】
画像処理装置１００'がオートパワーオフ予告通知状態である旨は、ステータス監視ユーティリティ１１４が表示する表示ボックス１１５のステータス・メッセージ表示フィールド１１５ｃに表示される。図８は、ステータス・メッセージ表示フィールド１１５ｃに表示される画像処理装置１００'がオートパワーオフ予告通知状態である旨を表すメッセージの一例である。図８に示すメッセージ本文には、設定変更ユーティリティ１１６が提供するＧＵＩ画面のアドレス情報１１５ｄがリンクされており、ユーザがこれを選択すると、図９に示すＧＵＩ画面１１６１が表示される。
【００３７】
ＧＵＩ画面１１６１において、ユーザはオートパワーオフ延期の指定を行う。ユーザは、必要であれば、オートパワーオフ移行時間選択プルダウンメニュー１１６２から所望の延期時間を選択し、送信ボタン１１６３を押下する。送信ボタン１１６３が押下されると、設定変更ユーティリティ１１６は設定変更コマンドを画像処理装置１００'に対して送信する。
【００３８】
設定変更コマンドを受付けた画像処理装置１００'のホスト送信コマンド処理部２１２は、受付けた設定変更コマンドを処理し、処理内容をステータス管理部２３に通知する。ステータス管理部２３は、設定変更コマンドの処理内容からオートパワーオフ延期の指定ありと判断し、（ステップＳ７０８  Ｙ）、オートパワーオフ管理部２２に図示せぬタイマーをリセットするよう指示を与える。一方、設定変更コマンドの処理内容からオートパワーオフ延期の指定なしと判断した場合(ステップＳ７０８  Ｎ)，ステータス管理部２３はその旨をオートパワーオフ管理部２２に通知する。
【００３９】
以上のように、第２の実施形態によれば、第１の実施形態の効果に加え、画像処理装置を使用しているユーザが装置傍まで移動しなくとも、オートパワーオフ管理部が備える図示せぬタイマーをリセットさせることができる。
【００４０】
本実施形態の説明において記載したオートパワーオフ移行時間、オートパワーオフ前の確認時間、ステータス監視ユーティリティでのポーリング時間は、本実施形態に記載された値に限定されるものではない。また、オートパワーオフ予告通知において、操作パネルのＬＣＤ部又はホストコンピュータでのステータス監視ユーティリティに表示されるメッセージ等は本実施形態に記載さらたものに限定されるものではない。さらに、ホストコンピュータにおける設定変更ユーティリティが提供するＧＵＩ画面の画面構成は、本実施形態に記載されたものに限定されるものではない。これらは、本発明の要旨を逸脱しない範囲において適宜変更可能である。
【符号の説明】
【００４１】
２１  ネットワーク情報管理部
２２  オートパワーオフ管理部
２３  ステータス管理部
２４  パネル制御部
２５  操作パネル
２６  ＬＣＤ部
２７  操作ボタン
２８  警告ランプ
２９  ブザー
１００  画像処理装置
１１０，１１１，１１２，１１３  ＰＣ
１１４  ステータス監視ユーティリティ
１１５  表示ボックス
１１５ａ  ステータスタグ
１１５ｂ  メッセージタグ
１１５ｃ  ステータス・メッセージ表示フィールド
２１１  アクセスログ
２１２  ホスト送信コマンド処理部
【図１】
2015141554.tif 000003
【図２】
2015141554.tif 000004
【図３】
2015141554.tif 000005
【図４】
2015141554.tif 000006
【図５】
2015141554.tif 000007
【図６】
2015141554.tif 000008
【図７】
2015141554.tif 000009
【図８】
2015141554.tif 000010
【図９】
2015141554.tif 000011